(57)【要約】【課題】水が勢いよく漏出しても、この水が周囲に飛散するのを抑制する。【解決手段】浴槽水を循環させるパイプ１４が取り付け可能なパイプ取り付け部１５が設けられた浴槽の側壁１３外面に、パイプ取り付け部１５をその下側から囲繞する水受けトレー１６が立設されるとともに、この水受けトレー１６およびパイプ取り付け部１５を覆う蓋体１９が設けられている。【選択図】図３
2008054980.tif 000002
【特許請求の範囲】
【請求項１】
浴槽水を循環させるパイプが取り付け可能なパイプ取り付け部が設けられた浴槽の側壁外面に、前記パイプ取り付け部をその下側から囲繞する水受けトレーが立設されるとともに、この水受けトレーおよび前記パイプ取り付け部を覆う蓋体が設けられていることを特徴とする浴槽水循環パイプの水受け構造。
【請求項２】
請求項１記載の浴槽水循環パイプの水受け構造であって、
前記浴槽の側壁外面に、この側壁外面における前記パイプ取り付け部との連結部分を少なくともその上側から囲繞する管状体が立設され、前記蓋体はこの管状体に着脱可能に取り付けられていることを特徴とする浴槽水循環パイプの水受け構造。
【請求項３】
請求項２記載の浴槽水循環パイプの水受け構造であって、
前記蓋体において、この蓋体が前記管状体に取り付けられた状態で前記側壁外面に向けて開口する開口部には、その周方向に沿って延びる溝が形成された取り付け部が連設され、
この蓋体は、前記溝に前記管状体の先端部を嵌入することにより、前記管状体に取り付けられていることを特徴とする浴槽水循環パイプの水受け構造。
【請求項４】
請求項２または３に記載の浴槽水循環パイプの水受け構造であって、
前記管状体は、その内面が前記パイプ取り付け部の上側から前記水受けトレーの下側にわたった全周を一体的に囲繞するように設けられ、
前記蓋体は、前記管状体にその周方向に回転自在に取り付けられていることを特徴とする浴槽水循環パイプの水受け構造。
【請求項５】
請求項１から４のいずれかに記載の浴槽水循環パイプの水受け構造であって、
前記蓋体には、前記パイプが挿通される挿通孔が形成されていることを特徴とする浴槽水循環パイプの水受け構造。
【請求項６】
側壁に、浴槽水を循環させるパイプが取り付け可能なパイプ取り付け部が設けられた浴槽であって、
前記側壁の外面に、請求項１から５のいずれかに記載の浴槽水循環パイプの水受け構造が設けられていることを特徴とする浴槽。
【発明の詳細な説明】
【技術分野】
【０００１】
本発明は、浴槽水循環パイプの水受け構造および浴槽に関するものである。
【背景技術】
【０００２】
例えば追い焚き装置等が並設される浴槽の側壁には、一般に、浴槽水を追い焚き装置等との間で循環させるパイプが取り付け可能なパイプ取り付け部が設けられている。さらにこの浴槽では、浴槽水を循環させたときに、例えばパイプ取り付け部や、前記側壁の外面におけるパイプ取り付け部との連結部分等から水が漏出することがあるため、従来では下記特許文献１に示されるような、前記側壁の外面に、パイプ取り付け部をその下側から囲繞する水受けトレーが設けられている。
【特許文献１】特開２００３−５２５６１号公報
【発明の開示】
【発明が解決しようとする課題】
【０００３】
しかしながら、前記従来の水受け構造では、水が前記連結部分等から勢いよく漏出して、下方のみならず例えば上方などの他の方向にも飛んだ場合に、その水を受け止めることができず、周囲に飛散させるおそれがあった。
【０００４】
この発明は、このような事情を考慮してなされたもので、水が勢いよく漏出しても、この水が周囲に飛散するのを抑制することができる浴槽水循環パイプの水受け構造および浴槽を提供することを目的とする。
【課題を解決するための手段】
【０００５】
上記課題を解決して、このような目的を達成するために、本発明の浴槽水循環パイプの水受け構造は、浴槽水を循環させるパイプが取り付け可能なパイプ取り付け部が設けられた浴槽の側壁外面に、前記パイプ取り付け部をその下側から囲繞する水受けトレーが立設されるとともに、この水受けトレーおよび前記パイプ取り付け部を覆う蓋体が設けられていることを特徴とする。
この発明では、浴槽の側壁外面に、パイプ取り付け部をその下側から囲繞する水受けトレーが立設されるとともに、この水受けトレーおよびパイプ取り付け部を覆う蓋体が設けられているので、水がパイプ取り付け部や、前記側壁の外面におけるパイプ取り付け部との連結部分等から勢いよく漏出しても、この水を前記蓋体で受け止めることが可能になり、パイプ取り付け部や前記連結部分等から漏出した水が周囲に飛散するのを抑制することができる。
【０００６】
ここで、前記浴槽の側壁外面に、この側壁外面における前記パイプ取り付け部との連結部分を少なくともその上側から囲繞する管状体が立設され、前記蓋体はこの管状体に着脱可能に取り付けられてもよい。
この場合、管状体が設けられているので、前記連結部分から、前記側壁外面に沿った方向に飛んだ水を、前記蓋体のみならず管状体の内面でも受け止めることが可能になり、前記の作用効果が確実に奏効されることになる。しかも、蓋体が管状体に着脱可能に取り付けられているので、蓋体を設けたことにより、この水受け構造のメンテナンス性が低下するのを防ぐことができる。
【０００７】
また、前記蓋体において、この蓋体が前記管状体に取り付けられた状態で前記側壁外面に向けて開口する開口部には、その周方向に沿って延びる溝が形成された取り付け部が連設され、この蓋体は、前記溝に前記管状体の先端部を嵌入することにより、前記管状体に取り付けられてもよい。
この場合、蓋体と管状体との間の液密性を確保することが可能になり、蓋体および管状体が受けた水がこれらの間から外部に漏出するのを防ぐことができる。
【０００８】
さらに、前記管状体は、その内面が前記パイプ取り付け部の上側から前記水受けトレーの下側にわたった全周を一体的に囲繞するように設けられ、前記蓋体は、前記管状体にその周方向に回転自在に取り付けられてもよい。
この場合、蓋体が管状体にその周方向に回転自在に取り付けられているので、この水受け構造を浴槽の側壁に取り付ける際に、管状体およびパイプ取り付け部に対する蓋体の周方向位置を容易に調整することが可能になり、蓋体を設けたことにより施工時間が長くなるのを防ぐことができる。
【０００９】
また、前記蓋体には、前記パイプが挿通される挿通孔が形成されてもよい。
この場合、蓋体に前記挿通孔が形成されているので、蓋体を設けたことにより施工時間が長くなるのを確実に防ぐことができる。
なお、前記パイプ取り付け部、管状体、および蓋体はそれぞれ、同軸上に設けられてもよい。
【００１０】
また、本発明の浴槽は、側壁に、浴槽水を循環させるパイプが取り付け可能なパイプ取り付け部が設けられた浴槽であって、前記側壁の外面に、本発明の浴槽水循環パイプの水受け構造が設けられていることを特徴とする。
【発明の効果】
【００１１】
この発明によれば、水が勢いよく漏出しても、この水が周囲に飛散するのを抑制することができる。
【発明を実施するための最良の形態】
【００１２】
以下、本発明に係る浴槽水循環パイプの水受け構造および浴槽の一実施形態を、図１から図４を参照しながら説明する。
図１には、浴槽１１と洗い場１２とが一体成形されたいわゆるユニットバスを示している。なお、洗い場１２は、浴槽１１の上端開口面から垂設されたエプロン１１ａの下端に、水平方向に延在するように連結されている。本実施形態では、浴槽１１の側壁１３に、浴槽１１内の浴槽水を循環させるパイプ１４が取り付け可能なパイプ取り付け部１５が設けられている。なお、パイプ１４においてパイプ取り付け部１５に連結された一端部１４ａと反対側の他端部は、例えば追い焚き装置等に連結されている。
【００１３】
そして、本実施形態では、浴槽１１の側壁１３の外面に、パイプ取り付け部１５をその鉛直方向下側から囲繞する水受けトレー１６と、前記側壁１３の外面におけるパイプ取り付け部１５との連結部分１３ａを少なくともその鉛直方向上側から囲繞する管状体１７とが立設されている。図示の例では、管状体１７は、その全周にわたって連続した内面を有する円管とされ、この管状体１７の内面は、パイプ取り付け部１５の鉛直方向上側から水受けトレー１６の鉛直方向下側にわたった全周を一体的に囲繞している。
【００１４】
さらに、この管状体１７の内面には、その全周にわたって環状板１８が突設されている。ここで、水受けトレー１６は、図３および図４に示されるように、環状板１８の下側半分における突端部（管状体１７の径方向内方端部）に連結されている。すなわち、前記連結部分１３ａはその全周が、管状体１７の内面で径方向外方から囲繞されている。
なお、管状体１７の前記側壁１３外面からの突出長さは、パイプ取り付け部１５の前記側壁１３外面からの突出長さよりも小さくなっている。そして、この水受けトレー１６、管状体１７および環状板１８は、例えば射出成形により樹脂材料で一体的に形成されている。
【００１５】
また、環状板１８は、図３および図４に示されるように、前記連結部分１３ａと比べて、前記側壁１３の外面から離れて位置している。さらに、パイプ１４の前記一端部１４ａ、およびパイプ取り付け部１５の鉛直方向下方に向けた各投影面は、図４に示されるように、水受けトレー１６の鉛直方向上方に向けた開口面１６ａの内側に位置されている。すなわち、パイプ１４の前記一端部１４ａ、およびパイプ取り付け部１５から例えば滴下するなど下方に漏出した水は、水受けトレー１６で受け止められるようになっている。
【００１６】
さらに、本実施形態では、パイプ取り付け部１５、および水受けトレー１６を覆う蓋体１９が、管状体１７に着脱可能に取り付けられている。図示の例では、蓋体１９の内面は、この蓋体１９が管状体１７に取り付けられた状態で、前記側壁１３の外面に対して外方に膨出するドーム形状となっている。ここで、蓋体１９において、この蓋体１９が管状体１７に取り付けられた状態で前記側壁１３の外面に向けて開口する開口部１９ａの外面には、その周方向に沿って延びる溝２０が形成された取り付け部２１が連設されている。図示の例では、取り付け部２１は、正面視円形とされた蓋体１９の前記開口部１９ａの外面にその全周にわたって連続して突設されている。また、溝２０は、蓋体１９の全周にわたって連続的に延び、かつ前記開口部１９ａが開口する方向と同じ方向に開口する環状溝とされている。
【００１７】
そして、この蓋体１９は、溝２０に管状体１７の先端部１７ａを嵌入することにより、管状体１７に取り付けられている。この状態において、管状体１７の先端部１７ａは、その内面、外面および先端縁面１７ｂがそれぞれ、溝２０を画成する各壁面に当接し、また、蓋体１９は、溝２０の前記各壁面を管状体１７の先端部１７ａに摺接させながらその周方向に回転できるようになっている。さらに、蓋体１９には、パイプ１４が挿通される挿通孔２２が形成されている。この挿通孔２２は、図３に示されるように、蓋体１９の前記開口部１９ａにも開口しており、蓋体１９の前記開口部１９ａを前記側壁１３の外面に対向させた状態で、この蓋体１９を前記側壁１３の外面に向けて移動させることにより、前記溝２０に管状体１７の先端部１７ａを嵌入しつつ、挿通孔２２内にパイプ１４を配置できるようになっている。ここで、管状体１７の先端部１７ａは、本実施形態では、管状体１７において環状板１８よりも先端縁面１７ｂ側の部分となっている。
【００１８】
なお、パイプ取り付け部１５、管状体１７、環状板１８および蓋体１９はそれぞれ、図２に示されるように、浴槽１１の側面視で円形とされ、かつ同軸上に設けられている。また、水受けトレー１６の下部側周面には、斜め下方に向けて開口する排水管２３が連結されている。この排水管２３は、図１に示されるように、ドレン管２４を介してエプロン１１ａに連結されている。
以上より、水受けトレー１６内に貯められた水が、排水管２３およびドレン管２４をこの順に通過して洗い場１２に到達するようになっている。
【００１９】
ここで、排水管２３は、図２に示されるように、水受けトレー１６の下部側周面において、その周方向の中央部を挟んで互いに対向する位置にそれぞれ設けられている。これにより、前記ユニットバスを設置する向きが勝手反対になったとしても、排水管２３にドレン管２４を容易に連結できるようになっている。
【００２０】
以上説明したように、本実施形態による浴槽水循環パイプの水受け構造および浴槽１１によれば、浴槽１１の側壁１３の外面に、パイプ取り付け部１５をその下側から囲繞する水受けトレー１６が立設されるとともに、この水受けトレー１６およびパイプ取り付け部１５を覆う蓋体１９が設けられているので、水がパイプ取り付け部１５や、前記側壁１３の外面におけるパイプ取り付け部１５との連結部分１３ａ等から勢いよく漏出しても、この水を蓋体１９で受け止めることが可能になり、パイプ取り付け部１５や前記連結部分１３ａ等から漏出した水が周囲に飛散するのを抑制することができる。
【００２１】
また、本実施形態では、前記側壁１３の外面に管状体１７が立設されているので、前記連結部分１３ａから、前記側壁１３の外面に沿った方向に飛んだ水を、蓋体１９のみならず管状体１７の内面でも受け止めることが可能になり、前記の作用効果が確実に奏効されることになる。しかも、蓋体１９が管状体１７に着脱可能に取り付けられているので、蓋体１９を設けたことにより、この水受け構造のメンテナンス性が低下するのを防ぐことができる。
【００２２】
さらにまた、本実施形態では、管状体１７の内面に環状板１８が突設されているので、水が前記連結部分１３ａから前記側壁１３の外方においてこの側壁１３外面に交差する方向に飛んでも、この水を、蓋体１９のみならず環状板１８でも受け止めることが可能になり、前記連結部分１３ａから漏出した水が周囲に飛散するのを確実に抑制することができる。
【００２３】
さらに、本実施形態では、蓋体１９の前記開口部１９ａに、溝２０が形成された取り付け部２１が連設され、この蓋体１９は、溝２０に管状体１７の先端部１７ａを嵌入することにより、管状体１７に取り付けられているので、蓋体１９と管状体１７との間の液密性を確保することが可能になり、蓋体１９および管状体１７が受けた水がこれら１９、１７の間から外部に漏出するのを防ぐことができる。
【００２４】
また、本実施形態では、蓋体１９が管状体１７にその周方向に回転自在に取り付けられているので、この水受け構造を浴槽１１の側壁１３に取り付ける際に、管状体１７およびパイプ取り付け部１５に対する蓋体１９の周方向位置を容易に調整することが可能になり、蓋体１９を設けたことにより施工時間が長くなるのを防ぐことができる。
さらに、本実施形態では、蓋体１９に、パイプ１４が挿通される挿通孔２２が形成されているので、蓋体１９を設けたことにより施工時間が長くなるのを確実に防ぐことができる。
【００２５】
また、水受けトレー１６、管状体１７および環状板１８が、樹脂材料で一体的に形成されているので、水受けトレー１６と管状体１７と環状板１８との間の液密性を容易かつ確実に確保することが可能になり、前述のように受け止められた水が、これら１６〜１８の間から漏出するのを防ぐことができる。しかも、このような水受け構造を、例えば射出成形で形成することにより安価に形成することもできる。
【００２６】
なお、本発明の技術的範囲は前記実施の形態に限定されるものではなく、本発明の趣旨を逸脱しない範囲において種々の変更を加えることが可能である。
例えば、前記実施形態では、蓋体１９を管状体１７に取り付けたが、これに代えて、管状体１７は設けずに、蓋体１９の前記開口部１９ａの外面にその全周にわたってフランジ部を設け、このフランジ部と前記側壁１３の外面とをボトル等を用いて固定するようにしてもよい。
【００２７】
また、蓋体１９の内面形状は前記実施形態のドーム形状に限らず、例えば、複数の平面からなる多面形状としてもよい。
さらに、前記実施形態では、蓋体１９の前記開口部１９ａにおける外面に取り付け部２１を設けたが、これに代えて、例えば、蓋体１９の前記開口部１９ａにおける内面に設けてもよい。
また、前記実施形態では、蓋体１９を管状体１７に取り付けるのに、溝２０に管状体１７の先端部１７ａを嵌入したが、これに代えて、例えば、蓋体１９に取り付け部２１および溝２０を設けずに、この蓋体１９の前記開口部１９ａに直接、管状体１７の先端部１７ａを嵌合してもよい。
【００２８】
また、前記実施形態では、管状体１７として、その全周にわたって連続した内面を有する円管を示したが、これに代えて、例えば横断面視Ｕ字状の半割り管を採用してもよい。そして、この半割りの管状体の内面で前記連結部分１３ａの上側半分をその上側から囲繞し、前記側壁１３の外面上に設けた水受けトレー１６で前記連結部分１３ａの下側半分をその下側から囲繞してもよい。
また、前記実施形態では、水受けトレー１６、管状体１７および環状板１８を、樹脂材料で一体的に形成したが、各別に形成したものを組付けて前記水受け構造を構成してもよい。さらに、環状板１８は設けなくてもよい。
さらにまた、パイプ取り付け部１５、管状体１７、環状板１８および蓋体１９をそれぞれ、浴槽１１の側面視で円形としたが、例えば矩形としてもよくその形状は限定されるものではない。
【００２９】
また、パイプ取り付け部１５、管状体１７、環状板１８および蓋体１９をそれぞれ、同軸上に設けたが、例えば少なくとも１つは他の中心軸線に対して偏心させて配置してもよい。
さらに、前記実施形態では、排水管２３が、水受けトレー１６の下部側周面において、その周方向の中央部を挟んで互いに対向する位置にそれぞれ設けられた構成を示したが、これに代えて、例えば、水受けトレー１６の最下端部となるこの水受けトレー１６の周方向中央部に１箇所だけ排水管２３を垂設してもよい。
【産業上の利用可能性】
【００３０】
水が勢いよく漏出しても、この水が周囲に飛散するのを抑制することができる。
【図面の簡単な説明】
【００３１】
【図１】本発明に係る一実施形態として示した浴槽の概略斜視図である。
【図２】本発明に係る一実施形態として示した浴槽水循環パイプの水受け構造の正面図である。
【図３】本発明に係る一実施形態として示した浴槽水循環パイプの水受け構造を一部分解した縦断面図である。
【図４】本発明に係る一実施形態として示した浴槽水循環パイプの水受け構造を一部分解した上面図である。
【符号の説明】
【００３２】
１１  浴槽
１３  側壁
１３ａ  連結部分
１４  パイプ
１５  パイプ取り付け部
１６  水受けトレー
１７  管状体
１７ａ  先端部
１９  蓋体
１９ａ  開口部
２０  溝
２１  取り付け部
２２  挿通孔
【図１】
2008054980.tif 000003
【図２】
2008054980.tif 000004
【図３】
2008054980.tif 000005
【図４】
2008054980.tif 000006